(57)【特許請求の範囲】
【請求項１】
圧縮比を変更する可変圧縮比機構を備え、内燃機関の停止要求があったときに圧縮比を所定の停止時目標圧縮比へと低下させ圧縮比が上記停止時目標圧縮比に到達したときに内燃機関の燃料噴射を停止し、再始動要求があったときには再始動の前に圧縮比を上記停止時目標圧縮比よりも高い所定の再始動時目標圧縮比へと上昇させる内燃機関の制御装置であって、
上記再始動要求があったときに、燃料噴射停止に伴い低下する機関回転速度が所定の共振帯域を通過したか否かを判定し、上記共振帯域を通過していれば上記再始動時目標圧縮比へ向けて圧縮比の変更を開始し、機関回転速度が上記共振帯域を通過していなければ機関回転速度が上記共振帯域の下限に到達するまでは上記停止時目標圧縮比を維持し、上記下限に到達したときに上記再始動時目標圧縮比へ向けて圧縮比の変更を開始する、内燃機関の制御装置。
【請求項２】
上記再始動時目標圧縮比は、加速要求を伴わない再始動要求であれば、比較的低い圧縮比に設定され、加速要求が低い場合は、比較的高い圧縮比に設定され、加速要求が高い場合は、比較的低い圧縮比に設定されることを特徴とする請求項１に記載の内燃機関の制御装置。
【請求項３】
上記停止時目標圧縮比は、気圧が高いほど、制御可能な圧縮比の中の最も低い最低圧縮比に近くなるように設定されることを特徴とする請求項１に記載の内燃機関の制御装置。
【請求項４】
上記停止処理は、所定のアイドル停止要求があると判定されたときの自動停止であることを特徴とする請求項１に記載の内燃機関の制御装置。
【発明の詳細な説明】
【技術分野】
【０００１】
本発明は、可変圧縮比機構を有した内燃機関の制御装置に関する。
【背景技術】
【０００２】
特許文献１には、機械的圧縮比を変更する可変圧縮比機構を有した内燃機関が開示されている。この内燃機関では、信号待ちや踏切停止等の車両の一時停止の際に内燃機関を自動停止する所謂アイドル停止時に、圧縮比を低圧縮比である所定の停止時目標圧縮比に低下させてから、内燃機関の停止処理が開始される。
【先行技術文献】
【特許文献】
【０００３】
【特許文献１】特開２００４−２９３４１１号公報
【発明の概要】
【発明が解決しようとする課題】
【０００４】
しかし、特許文献１の内燃機関において、上記内燃機関のアイドル停止に伴う機関回転速度の低下中に再始動要求がある場合に、低圧縮比から内燃機関の再始動に適した比較的高い圧縮比に圧縮比を直ちに変更してしまうと、圧縮比が高い状態で機関回転速度が所定の共振帯域を通過することがある。このように所定の共振帯域を通過すると、機関回転速度低下中の駆動力伝達系の共振が生じ、内燃機関の回転停止直前に不快な振動が生じる虞がある。
【課題を解決するための手段】
【０００５】
本発明は、圧縮比を変更する可変圧縮比機構を備え、内燃機関の停止要求があったときに圧縮比を所定の停止時目標圧縮比へと低下させ圧縮比が停止時目標圧縮比に到達したときに内燃機関の燃料噴射を停止し、再始動要求があったときには再始動の前に圧縮比を停止時目標圧縮比よりも高い所定の再始動時目標圧縮比へと上昇させる内燃機関の制御装置であって、再始動要求があったときに、燃料噴射停止に伴い低下する機関回転速度が所定の共振帯域を通過したか否かを判定し、共振帯域を通過していれば再始動時目標圧縮比へ向けて圧縮比の変更を開始し、機関回転速度が共振帯域を通過していなければ機関回転速度が共振帯域の下限に到達するまでは停止時目標圧縮比を維持し、下限に到達したときに再始動時目標圧縮比へ向けて圧縮比の変更を開始する。
【発明の効果】
【０００６】
本発明によれば、機関回転速度が共振帯域を通過してから再始動時目標圧縮比への変更が開始されるので、機関回転速度低下中の共振帯域における駆動力伝達系の共振が抑制され、内燃機関の回転停止直前に不快な振動が緩和される。
【図面の簡単な説明】
【０００７】
【図１】本発明の実施例に係る制御装置のシステム構成を示す構成説明図である。
【図２】アイドル停止処理時の種々のパラメータの変化を示す、本発明の第１の実施例のタイムチャートである。
【図３】アイドル停止処理時の種々のパラメータの変化を示す、比較例のタイムチャートである。
【図４】本発明の参考例を示すタイムチャートである。
【図５】内燃機関のアイドル停止処理を示すフローチャートである。
【図６】気圧と停止時目標圧縮比との相関関係を示すマップである。
【図７】アクセル開度と再始動時目標圧縮比との相関関係を示すマップである。
【発明を実施するための形態】
【０００８】
以下、図面を参照しながら本発明の一実施例について説明する。
【０００９】
図１は、本発明が適用された車両用内燃機関１のシステム構成を示している。この内燃機関１は、例えば複リンク式ピストンクランク機構を利用した可変圧縮比機構２を備えた４ストロークサイクルの火花点火内燃機関であって、燃焼室３の天井壁面に、一対の吸気弁４および一対の排気弁５が配置されるとともに、これらの吸気弁４および排気弁５に囲まれた中央部に点火プラグ６が配置されている。
【００１０】
上記吸気弁４によって開閉される吸気ポート７の下方には、燃焼室３内に燃料を直接に噴射する燃料噴射弁８が配置されている。燃料噴射弁８は、駆動パルス信号が印加されることによって開弁する電磁式ないし圧電式の噴射弁であって、駆動パルス信号のパルス幅に実質的に比例した量の燃料を噴射する。
【００１１】
上記吸気ポート７に接続された吸気通路９のコレクタ部９ａ上流側には、エンジンコントローラ１０からの制御信号によって開度が制御される電子制御型スロットルバルブ１１が介装されており、さらに、その上流側に、吸入空気量を検出するエアフロメータ１２が配設されている。
【００１２】
また、排気ポート１３に接続された排気通路１４には、三元触媒からなる触媒装置１５が介装されており、その上流側に、空燃比を検出する空燃比センサ１６が配置されている。
【００１３】
一方、上記可変圧縮比機構２は、公知の複リンク式ピストンクランク機構を利用したものであって、クランクシャフト１７のクランクピン１７ａに回転自在に支持されたロアリンク１８と、このロアリンク１８の一端部のアッパピン１９とピストン２０のピストンピン２０ａとを互いに連結するアッパリンク２１と、ロアリンク１８の他端部のコントロールピン２２に一端が連結されたコントロールリンク２３と、このコントロールリンク２３の他端を揺動可能に支持するコントロールシャフト２４と、を主体として構成されている。上記クランクシャフト１７および上記コントロールシャフト２４は、シリンダブロック２５下部のクランクケース内で図示せぬ軸受構造を介して回転自在に支持されている。上記コントロールシャフト２４は、該コントロールシャフト２４の回動に伴って位置が変化する偏心軸部２４ａを有し、上記コントロールリンク２３の端部は、詳しくは、この偏心軸部２４ａに回転可能に嵌合している。上記可変圧縮比機構２においては、上記コントロールシャフト２４の回動に伴ってピストン２０の上死点位置が上下に変位し、従って、機械的圧縮比が変化する。
【００１４】
また、上記可変圧縮比機構２の圧縮比を可変制御する駆動機構として、クランクシャフト１７と平行な出力軸２６ａを有するアクチュエータ２６がシリンダブロック２５側面に配置されている。アクチュエータ２６は、ケース２７内に例えば電動モータまたは油圧機構等のアクチュエータ本体や減速機等を収容してユニット化するようにして構成されている。上記出力軸２６ａと上記コントロールシャフト２４とは互いに平行に位置しており、両者が連動して回動するように、出力軸２６ａに固定された第１のアーム２８とコントロールシャフト２４に固定された第２のアーム２９とが中間リンク３０によって互いに連結されている。
【００１５】
即ち、アクチュエータ２６の出力軸２６ａが回転すると、この回転が第１のアーム２８から中間リンク３０を介して第２のアーム２９へ伝達され、コントロールシャフト２４が回動する。これにより、上述したように、内燃機関１の機械的圧縮比が変化する。
【００１６】
上記可変圧縮比機構２の目標圧縮比は、エンジンコントローラ１０において、機関運転条件（例えば要求負荷および機関回転速度）に基づいて設定され、この目標圧縮比を実現するように上記アクチュエータ２６が駆動制御される。
【００１７】
上記エンジンコントローラ１０には、上記エアフロメータ１２、空燃比センサ１６のほか、運転者により操作されるアクセルペダルの踏込量（アクセル開度ＡＰＯ）を検出するアクセル開度センサ３１、車速Ｖを検出する車速センサ３２、気圧Ｐatmを検出する気圧センサ３３、圧縮比εを検出する圧縮比センサ３４、運転者によるブレーキの踏み込みを検出するブレーキスイッチ３５、機関の回転速度を検出する回転速度センサ３６等のセンサ類の信号が入力されている。上記エンジンコントローラ１０は、これらの検出信号に基づき、可変圧縮比機構２の圧縮比、燃料噴射弁８による燃料噴射量および噴射時期、点火プラグ６による点火時期、スロットルバルブ１１の開度、等を最適に制御している。なお、圧縮比センサ３４は、コントロールシャフト２４の回転角度から圧縮比εを検出している。
【００１８】
また、上記エンジンコントローラ１０は、例えば信号待ちや踏切停止等の車両の一時停止のために運転者がアクセルペダルから足を離しブレーキペダルを踏み込んだことにより、ブレーキスイッチ３５がブレーキペダルの踏み込みを検出したこと、アクセル開度センサ３１により検出したアクセル開度ＡＰＯがゼロになったこと、および車速センサ３２により検出した車速Ｖがゼロになったこと、が同時に成立することを条件として、内燃機関１の所定のアイドル停止要求があると判定する。エンジンコントローラ１０は、このアイドル停止要求に従って、車両の一時停止中に内燃機関１を自動停止する所謂アイドル停止処理を行う。
【００１９】
次に、図２のタイムチャートを参照して、本発明の第１の実施例のアイドル停止処理による動作を説明する。このタイムチャートは、アイドル停止要求から内燃機関１の再始動に至るまでの機関回転速度Ｎおよび圧縮比εの変化を示している。
【００２０】
この図の例では、駆動力伝達系の共振が発生する共振帯域Ｚ（例えば７〜１０Ｈｚ）が存在しており、この共振帯域Ｚは、内燃機関１のアイドリング時の機関回転速度Ｎよりも低い回転速度範囲例えば２００〜４００ｒｐｍに対応している。
【００２１】
アイドル停止要求がある時間ｔ１の直前までは、圧縮比εが比較的高い圧縮比に維持されている。
【００２２】
時間ｔ１において、運転者が、信号待ちや踏切停止のためにブレーキペダルを踏み込んだことにより、車両が一時停止する。このとき、エンジンコントローラ１０は、所定のアイドル停止要求があると判定する。そして、エンジンコントローラ１０は、アイドル停止要求に従って、圧縮比εが比較的高い圧縮比から停止時目標圧縮比εaへと低下するように、可変圧縮比機構２のアクチュエータ２６を駆動制御する。上記停止時目標圧縮比εaは、図示例では、可変圧縮比機構２を用いて制御可能な圧縮比の中の最も低い圧縮比（以下、「最低圧縮比」と呼ぶ）である。なお、停止時目標圧縮比εaは、最低圧縮比以外の圧縮比に設定することもできる。
【００２３】
時間ｔ２において、圧縮比εが最低圧縮比に到達すると、エンジンコントローラ１０は、内燃機関１のアイドル停止処理を開始する。つまり、燃料噴射ならびに点火を停止する。これにより、機関回転速度Ｎが低下する。
【００２４】
時間ｔ３において、エンジンコントローラ１０は、内燃機関のアイドル停止に伴う機関回転速度低下中に、内燃機関１の所定の再始動要求があると判定する。ここで、再始動要求は、例えば機関回転速度低下中における運転者によるブレーキペダルの解放、アクセルペダルの踏み込み、エアコンの作動要求、電力負荷に伴う発電要求、などが挙げられる。
【００２５】
また、時間ｔ３では、内燃機関１の再始動の開始基準となる再始動時目標圧縮比εbが、再始動要求における加速要求に応じて設定される。ここで、加速要求の大きさは、アクセル開度ＡＰＯの大きさによって判断される。
【００２６】
例えば、再始動時目標圧縮比εbは、図７に示したような特性のアクセル開度ＡＰＯをパラメータとする所定のマップを参照することにより求められる。図示したように、アクセル開度ＡＰＯが比較的小さいときには、再始動時目標圧縮比εbが比較的高くなっており、アクセル開度ＡＰＯが比較的大きいときには、再始動時目標圧縮比εbは最低圧縮比となっている。アクセル開度がゼロつまり機関回転速度低下中のエアコンの作動要求、電力負荷に伴う発電要求などのときには、再始動時目標圧縮比εbは最低圧縮比となる。なお、アクセル開度ＡＰＯが比較的大きいとき、およびアクセル開度がゼロのときの再始動時目標圧縮比εbは、最低圧縮比以外の圧縮比に設定することもできる。
【００２７】
図示例では、アクセル開度ＡＰＯが比較的小さい場合即ち加速要求が比較的低い場合の再始動時目標圧縮比εbが示されている。この再始動時目標圧縮比εbは、時間ｔ１における圧縮比よりも低いが、最低圧縮比よりも高い圧縮比に設定されている。
【００２８】
時間ｔ３では、圧縮比εは、最低圧縮比のままであり、時間ｔ４に到達するまで最低圧縮比に維持される。
【００２９】
時間ｔ４において、機関回転速度Ｎが共振帯域Ｚの下限つまり２００ｒｐｍに到達したときに、エンジンコントローラ１０は、圧縮比εが最低圧縮比から再始動時目標圧縮比εbへと上昇するように、可変圧縮比機構２のアクチュエータ２６を駆動制御する。このとき、圧縮比εは、最低圧縮比から上昇し、時間ｔ５よりも少し前に再始動時目標圧縮比εbに到達し、これ以降は、この圧縮比が維持される。つまり、図示例は加速要求が比較的低い場合であり、運転者からの加速意図があるものの、燃費の向上を考慮して、内燃機関１の再始動前までに最低圧縮比から再始動時目標圧縮比εbに圧縮比を上昇させてある。
【００３０】
時間ｔ５において、機関回転速度Ｎがゼロになる。そして、エンジンコントローラ１０は、機関回転速度Ｎがゼロであることを条件として、内燃機関１の再始動を開始する。つまり、燃料噴射弁８による燃料噴射および点火プラグ６による点火を開始する。
【００３１】
次に、図３のタイムチャートを参照して、図２の実施例に対する比較例のアイドル停止処理による動作を説明する。ここで、図３の時間ｔ１から時間ｔ３における機関回転速度Ｎおよび圧縮比εの変化の挙動は、図２と同様である。
【００３２】
時間ｔ３において、エンジンコントローラ１０は、内燃機関のアイドル停止に伴う機関回転速度低下中に、内燃機関１の所定の再始動要求があると判定する。そして、エンジンコントローラ１０は、圧縮比εが最低圧縮比から再始動時目標圧縮比εbへと上昇するように、可変圧縮比機構２のアクチュエータ２６を駆動制御する。このとき、圧縮比εは、最低圧縮比から上昇し、時間ｔ４よりも前に再始動時目標圧縮比εbに到達し、これ以降は、この再始動時目標圧縮比εbが維持される。ここで、再始動時目標圧縮比εbは、図２の実施例と同様の圧縮比である。
【００３３】
図３の比較例では、時間ｔ３と時間ｔ４との間において、圧縮比εが比較的高い状態で機関回転速度Ｎが共振帯域Ｚを通過するので、機関回転速度低下中に駆動力伝達系の共振が生じ、これにより生じる振動が、車両内にいる運転者に不快感を与える要因となる。
【００３４】
次に、図４のタイムチャートを参照して、本発明の参考例のアイドル停止処理による動作を説明する。図４の参考例の時間ｔ１から時間ｔ４における機関回転数Ｎおよび圧縮比εの変化の挙動は、図２に示した第１の実施例と同様である。図示例では、時間ｔ３における加速要求が比較的高い場合の再始動時目標圧縮比εbが示されており、この再始動時目標圧縮比εbは、停止時目標圧縮比εaに等しく、最低圧縮比に設定されている。
【００３５】
時間ｔ４において、機関回転速度Ｎが共振帯域Ｚの下限つまり２００ｒｐｍに到達したときに、エンジンコントローラ１０は、圧縮比εが最低圧縮比を維持するように、可変圧縮比機構２のアクチュエータ２６を駆動制御する。図示例のように加速要求が比較的高い場合には、ノッキング回避のために内燃機関１の再始動（時間ｔ５）後も最低圧縮比を維持することが望ましいから、時間ｔ４以降も圧縮比を最低圧縮比に維持している。
【００３６】
また、加速要求を伴わない再始動要求の場合、即ち再始動要求が機関回転速度低下中のエアコンの作動要求、電力負荷に伴う発電要求などである場合にも、参考例と同様に、エンジンコントローラ１０は、圧縮比εが時間ｔ４以降も最低圧縮比を維持するように、可変圧縮比機構２のアクチュエータ２６を駆動制御する。このような場合には、運転者による加速意図がないので、内燃機関１の再始動時の振動の低減を優先させるために、圧縮比を最低圧縮比に維持している。
【００３７】
次に、図５のフローチャートを参照して、内燃機関１のアイドル停止処理の一実施例を説明する。このフローチャートに示すルーチンは、所定時間ごとに繰り返し実行される。ステップ１では、エンジンコントローラ１０は、内燃機関１の運転中にアイドル停止要求があるか否かを判定する。ここで、このアイドル停止要求の判定は、繰り返し行われている。
【００３８】
ステップ２では、気圧Ｐatmに応じた停止時目標圧縮比εaを演算する。気圧Ｐatmが比較的高い場合には、図２のように圧縮比を最低圧縮比へと低下させる必要があるが、気圧Ｐatmが比較的低い場合には、これに応じて有効圧縮比が小さくなるため、機械的圧縮比を最低圧縮比まで低下させずに適度に低い圧縮比とし、圧縮比の変更量を小さくする。従って、ステップ２では、気圧Ｐatmに応じた適切な停止時目標圧縮比εaを求める。例えば、停止時目標圧縮比εaは、図６に示したような特性の気圧Ｐatmをパラメータとする所定のマップを参照することにより求められる。図示したように、停止時目標圧縮比εaは、気圧Ｐatmが高いほど最低圧縮比に近くなっている。
【００３９】
ステップ３では、エンジンコントローラ１０は、可変圧縮比機構２のアクチュエータ２６を駆動制御することにより、可変圧縮比機構２の停止時目標圧縮比εa、例えば最低圧縮比へ向けた作動を開始する。ステップ３における可変圧縮比機構２の作動は、ステップ１におけるアイドル停止要求と実質的に同時に開始される。
【００４０】
ステップ４では、内燃機関１のアイドル停止処理を開始する。つまり、燃料噴射弁８からの燃料噴射および点火プラグ６による点火を停止する。
【００４１】
ステップ５では、エンジンコントローラ１０は、内燃機関１の所定の再始動要求があるか否かを判断する。つまり、運転者によるアクセルペダルの踏み込みを伴う再始動要求があるか否か、およびアクセルペダルの踏み込みを伴わない再始動要求があるか否かを判定する。
【００４２】
再始動要求がある場合には、ステップ６に進み、エンジンコントローラ１０は、機関回転速度Ｎが共振帯域Ｚを通過したか否かを判定する。つまり、エンジンコントローラ１０は、機関回転速度Ｎが、共振帯域Ｚ（機関回転速度範囲２００〜４００ｒｐｍ）の下限である２００ｒｐｍに到達したか否かを判定する。ここで、上記判定は、繰り返し行われている。
【００４３】
機関回転速度Ｎが２００ｒｐｍに到達した場合には、機関回転速度Ｎが共振帯域Ｚを通過したものとし、ステップ７に進み、エンジンコントローラ１０は、運転者からの加速要求に応じた再始動時目標圧縮比εbを算出する。
【００４４】
ステップ８では、エンジンコントローラ１０は、可変圧縮比機構２のアクチュエータ２６を駆動制御することにより、可変圧縮比機構２の再始動時目標圧縮比εbへ向けた作動を開始する。
【００４５】
ステップ９では、機関回転速度Ｎがゼロであること、つまり内燃機関１の回転が完全に停止していることを条件として、内燃機関１の再始動処理を開始する。つまり、クランキングを行うとともに、燃料噴射弁８からの燃料噴射および点火プラグ６による点火を開始する。
【００４６】
また、ステップ１において、アイドル停止要求が無い場合には、ステップ５〜９を経て、ルーチンを繰り返す。
【００４７】
上記のように、上記実施例では、機関回転速度Ｎが共振帯域Ｚを通過してから再始動時目標圧縮比εbへの変更が開始され、すなわち、機関回転速度Ｎが共振帯域Ｚを通過するまでは再始動時目標圧縮比へ変更させないので、機関回転速度低下中の共振帯域Ｚにおける駆動力伝達系の共振が抑制され、内燃機関１の回転停止直前に不快な振動が緩和される。
【００４８】
また、上記実施例では、加速要求が比較的低い場合に再始動時目標圧縮比εbを比較的高い圧縮比に設定するようにしたことから、燃焼圧の影響を受けない状態で圧縮比εが比較的高い圧縮比に変更され、内燃機関１の再始動後に比較的高い圧縮比で内燃機関１が運転される。これにより、燃費を向上させることができる。
【００４９】
さらに、上記参考例では、加速要求が比較的高い場合に再始動時目標圧縮比εbを最低圧縮比に設定するようにしたことから、圧縮比εが最低圧縮比のまま内燃機関１が再始動される。これにより、始動後の圧縮比εの変更が少なくなる。
【００５０】
また、上記実施例では、加速要求が無い場合に再始動時目標圧縮比εbを最低圧縮比に設定するようにしたことから、内燃機関１の再始動時の振動を低減することができる。
【００５１】
さらに、上記実施例では、気圧Ｐatmに応じて停止時目標圧縮比εaを設定するようにしたことから、気圧Ｐatmが比較的低い場合には、停止時目標圧縮比εaを最低圧縮比まで低下させる必要が無くなり、圧縮比εの変更時間が短縮される。これにより、内燃機関１の停止ならびに再始動に要する時間を短縮することができる。
【００５２】
また、内燃機関１の回転停止を待たずに、機関回転速度が共振帯域の下限に到達したときに再始動時目標圧縮比εbへ向けて圧縮比の変更を開始するので、内燃機関１の再始動に要する時間が短縮される。
【００５３】
なお、上記実施例では、内燃機関１の回転停止を待って内燃機関１を再始動する例を開示したが、内燃機関１の回転停止を待たずに内燃機関１を再始動するようにしても良い。
【００５４】
また、上記実施例では、内燃機関１の停止要求があって圧縮比が停止時目標圧縮比に到達した後に内燃機関１の停止処理を開始したが、圧縮比が停止時目標圧縮比に到達する前から内燃機関１の停止処理を開始しても構わない。
【符号の説明】
【００５５】
１・・・内燃機関
２・・・可変圧縮比機構
１０・・・エンジンコントローラ
１８・・・ロアリンク
２６・・・アクチュエータ
３１・・・アクセル開度センサ
３２・・・車速センサ
３３・・・気圧センサ
３４・・・圧縮比センサ
３５・・・ブレーキスイッチ
【図１】
0006515710.tif 000002
【図２】
0006515710.tif 000003
【図３】
0006515710.tif 000004
【図４】
0006515710.tif 000005
【図５】
0006515710.tif 000006
【図６】
0006515710.tif 000007
【図７】
0006515710.tif 000008